(57)【要約】      （修正有）【課題】居室から外出する回数が一定の閾値を超えた場合に、異常な入退室があると判定することを特徴としたセキュリティインターホンシステムを提供する。【解決手段】内錠と外錠の開閉の識別が可能な錠と、居住者を呼び出して通話する機能を備えた集合玄関端末と、集合玄関端末からの呼び出しに応答通話する機能を備えた居室端末と、管理人室等に設置される管理室端末と、前記集合玄関端末、前記居室端末、前記管理室端末を制御する制御装置で構成されるセキュリティインターホンシステムであって、居室端末は、錠が内錠にて解錠後に内錠で施錠した回数を加算する加算手段と、加算手段によって加算された回数が一定の閾値を超えた場合に異常な入退室があると判定する異常判断手段と、異常判断部にて異常と判断された時、管理室端末に通知する異常通知手段を有する。【選択図】図１
2011014978.tif 000002
【特許請求の範囲】
【請求項１】
居室の玄関に設置され、内錠と外錠の開閉の識別が可能な錠（２）と、共同玄関に設置され、居住者を呼び出して通話する機能を備えた集合玄関端末（６）と、居室に設置され、前記集合玄関端末からの呼び出しに応答通話する機能を備えた居室端末（３）と、管理人室等に設置される管理室端末（４）と、前記集合玄関端末、前記居室端末、前記管理室端末を制御する制御装置（５）で構成されるセキュリティインターホンシステムであって、
前記居室端末は、前記錠が内錠にて解錠後に内錠で施錠した回数を加算する加算手段と、加算手段によって加算された回数が一定の閾値を超えた場合に異常な入退室があると判定する異常判断手段と、異常判断部にて異常と判断された時、前記管理室端末に通知する異常通知手段を有したことを特徴とするセキュリティインターホンシステム。
【請求項２】
居室の玄関に設置され、内錠と外錠の開閉の識別が可能な錠（２）と、共同玄関に設置され、居住者を呼び出して通話する機能を備えた集合玄関端末（６）と、居室に設置され、前記集合玄関端末からの呼び出しに応答通話する機能を備えた居室端末（３）と、管理人室等に設置される管理室端末（４）と、前記集合玄関端末、前記居室端末、前記管理室端末を制御する制御装置（５）で構成されるセキュリティインターホンシステムであって、
前記居室端末は、前記集合玄関端末から前記居室端末への呼出が未呼出状態で、且つ前記錠が内錠にて解錠、内錠で施錠した回数を加算する加算手段を有し、加算手段によって加算された回数が一定の閾値を超えた場合に異常な入退室があると判定する異常判断手段と、異常判断部にて異常と判断された時、前記管理室端末に通知する異常通知手段を有したことを特徴とするセキュリティインターホンシステム。
【請求項３】
居室の玄関に設置され、居住者を呼び出して通話する機能を備えた居室玄関端末（１１）と、居室の玄関に設置され、内錠と外錠の開閉の識別が可能な錠（１２）と、居室に設置され、前記居室玄関端末からの呼び出しに応答通話する機能を備えた居室端末（１３）で構成されるセキュリティインターホンシステムであって、
前記居室端末は、前記錠が内錠にて解錠後に内錠で施錠した回数を加算する加算手段と、加算手段によって加算された回数が一定の閾値を超えた場合に異常な入退室があると判定する異常判断手段と、異常判断部にて異常と判断された時、外部端末機器（１４）に対し信号を送信する異常送信手段を有したことを特徴とするセキュリティインターホンシステム。
【請求項４】
居室の玄関に設置され、居住者を呼び出して通話する機能を備えた居室玄関端末（１１）と、居室の玄関に設置され、内錠と外錠の開閉の識別が可能な錠（１２）と、居室に設置され、前記居室玄関端末または前記集合玄関端末からの呼び出しに応答通話する機能を備えた居室端末（１３）で構成されるセキュリティインターホンシステムであって、
前記居室端末は、前記集合玄関端末から前記居室端末への呼出が未呼出状態で、且つ前記錠が内錠にて解錠、内錠で施錠した回数を加算する加算手段を有し、加算手段によって加算された回数が一定の閾値を超えた場合に異常な入退室があると判定する異常判断手段と、異常判断部にて異常と判断された時、外部端末機器（１４）に対し信号を送信する異常送信手段を有したことを特徴とするセキュリティインターホンシステム。
【発明の詳細な説明】
【技術分野】
【０００１】
本発明はセキュリティインターホンシステムに係り、特に、居室から外出する回数が一定の閾値を超えた場合に、異常な入退室があると判定することを特徴としたセキュリティインターホンシステムに関する。
【背景技術】
【０００２】
従来から、玄関機から居住者を呼び出すためのインターホンシステムが知られている。例えば、特許文献１には、集合住宅のエントランスに設置された集合玄関端末から居住者の部屋番号を入力し、居住者と通話することができる内容が記載されている。また特許文献１によれば、居住者の判断によって、集合住宅のエントランスのオートドアを開扉することも可能である。
【先行技術文献】
【特許文献】
【０００３】
【特許文献１】特開２０００−１０１７３１
【発明の開示】
【発明が解決しようとする課題】
【０００４】
しかしながら、上記集合インターホンシステムでは、居住者が不審者に来訪する場合においては、侵入を防ぐことが可能であるが、居住者自身が公序良俗に反する行為を行うために居住している場合においては、公序良俗に反する来訪者の侵入を防ぐことができなかった。
【０００５】
本発明はこのような問題点に鑑み、居室玄関の玄関扉の解錠回数が一定の閾値を超えた場合、管理室端末に通知することができ、この通知を受けた管理人は、特定の住居人に特定の住戸の出入り回数が異常に多いことを注意することで、他の居住者の不安を解消することができるセキュリティインターホンシステムを提供することを目的としている。
【課題を解決するための手段】
【０００６】
上記課題を解決するために、請求項１に記載の発明は、居室の玄関に設置され、内錠と外錠の開閉の識別が可能な錠と、共同玄関に設置され、居住者を呼び出して通話する機能を備えた集合玄関端末と、居室に設置され、集合玄関端末からの呼び出しに応答通話する機能を備えた居室端末と、管理人室等に設置される管理室端末と、前記集合玄関端末、前記居室端末、前記管理室端末を制御する制御装置で構成されるセキュリティインターホンシステムであって、居室端末は、錠が内錠にて解錠後に内錠で施錠した回数を加算する加算手段と、加算手段によって加算された回数が一定の閾値を超えた場合に異常な入退室があると判定する異常判断手段と、異常判断部にて異常と判断された時、管理室端末に通知する異常通知手段を有したことを特徴とする。
また、請求項２の発明は、居室の玄関に設置され、内錠と外錠の開閉の識別が可能な錠と、共同玄関に設置され、居住者を呼び出して通話する機能を備えた集合玄関端末と、居室に設置され、集合玄関端末からの呼び出しに応答通話する機能を備えた居室端末と、管理人室等に設置される管理室端末と、前記集合玄関端末、前記居室端末、前記管理室端末を制御する制御装置で構成されるセキュリティインターホンシステムであって、居室端末は、集合玄関端末から居室端末への呼出が未呼出状態で、且つ錠が内錠にて解錠、内錠で施錠した回数を加算する加算手段を有し、加算手段によって加算された回数が一定の閾値を超えた場合に異常な入退室があると判定する異常判断手段と、異常判断部にて異常と判断された時、管理室端末に通知する異常通知手段を有したことを特徴とする。
また、請求項３の発明は、居室の玄関に設置され、居住者を呼び出して通話する機能を備えた居室玄関端末と、居室の玄関に設置され、内錠と外錠の開閉の識別が可能な錠と、居室に設置され、居室玄関端末からの呼び出しに応答通話する機能を備えた居室端末で構成されるセキュリティインターホンシステムであって、居室端末は、錠が内錠にて解錠後に内錠で施錠した回数を加算する加算手段と、加算手段によって加算された回数が一定の閾値を超えた場合に異常な入退室があると判定する異常判断手段と、異常判断部にて異常と判断された時、外部端末機器に対し信号を送信する異常送信手段を有したことを特徴とする。
また、請求項４の発明は、居室の玄関に設置され、居住者を呼び出して通話する機能を備えた居室玄関端末と、居室の玄関に設置され、内錠と外錠の開閉の識別が可能な錠と、居室に設置され、居室玄関端末からの呼び出しに応答通話する機能を備えた居室端末で構成されるセキュリティインターホンシステムであって、居室端末は、居室玄関端末から居室端末への呼出が未呼出状態で、且つ錠が内錠にて解錠、内錠で施錠した回数を加算する加算手段を有し、加算手段によって加算された回数が一定の閾値を超えた場合に異常な入退室があると判定する異常判断手段と、異常判断部にて異常と判断された時、外部端末機器に対し信号を送信する異常送信手段を有したことを特徴とする。
【発明の効果】
【０００７】
請求項１の発明によれば、集合住宅において、居室玄関からの出入り回数が異常であった場合に、管理室端末に通知することができる。
請求項２の発明によれば、集合住宅において、居室玄関からの外出回数が異常であった場合に、管理室端末に通知することができる。
請求項３の発明によれば、戸建住宅において、居室玄関からの出入り回数が異常であった場合に、管理室端末に通知することができる。
請求項４の発明によれば、戸建住宅において、居室玄関からの外出回数が異常であった場合に、管理室端末に通知することができる。
【図面の簡単な説明】
【０００８】
【図１】本発明に係る第一の実施形態であるセキュリティインターホンシステムのブロック図である。
【図２】本発明に係る第二の実施形態であるセキュリティインターホンシステムのブロック図である。
【図３】本発明に係る第一、第二の実施例を示すフローチャート図である。
【発明を実施するための形態】
【０００９】
以下、本発明によるインターホン装置を適用した好ましい形態の実施例について、図を参照して説明する。図１は本発明の第一、二の実施例のシステム構成図であり、居室の玄関に設置され、内錠と外錠の開閉の識別が可能な錠２と、共同玄関に設置され、居住者を呼び出して通話する機能を備えた集合玄関端末６と、居室玄関に設置され、居住者を呼び出して通話する機能を備えた居室玄関端末１と、居室に設置され、集合玄関端末からの呼び出しに応答通話する機能を備えた居室端末３と、管理人室等に設置される管理室端末４と、集合玄関端末６、居室端末３、管理室端末４を制御する制御装置５で構成されている。
居室親機３は、居室玄関端末１、集合玄関端末６、管理室端末４と通話するためにスピーカおよびマイクで構成された通話部３１と、居室玄関端末１、集合玄関端末６、管理室端末４と通話するために操作する操作ボタン３２と、居室端末３の動作履歴を記録するメモリ３３と、居室端末３を制御する居室ＣＰＵ３０と、居室端末ＩＦ３４で構成されている。
【００１０】
このようなセキュリティインターホンシステムにおいて、第一の実施例の動作説明を行う。尚、居室玄関端末１、集合玄関端末６、管理室端末４からの呼び出し、及び呼び出しに対する居室端末３からの応答動作の説明は本発明の要部ではないので省略し、居室玄関からの出入り回数が一定の閾値を超えた場合に管理室端末４へ報知する動作を図３（ａ）のフローチャート図を基に説明する。
まず、居室端末３のメモリ３３には、居室端末３が動作した時の動作履歴を時系列毎に記憶することができる。例えば、居室玄関端末１からの呼出、居室玄関端末１との通話、居室の玄関に設置された錠２の外解錠等の操作がされると居室端末ＣＰＵ３０が動作処理を行いメモリ３３に動作履歴を記憶する。
【００１１】
このようなシステムにおいて、居室の玄関に設置された錠２の内錠が施錠操作されたとき、居室端末ＩＦ３４を経由して居室端末ＣＰＵ３０に内錠施錠信号が送信される。すると、メモリ３３に記録されている直前の動作履歴（Ｓ１）が、錠２の内錠解錠動作であった場合には、カウンタを１加算（Ｓ２）し、内錠解錠動作でなかった場合にはメモリ３３に内錠施錠の動作履歴を記録（Ｓ５）する。カウンタで１加算（Ｓ２）したとき、カウンタの数値（Ｓ３）が一定の閾値を超えた場合には、管理室端末４に異常入退出信号を送信（Ｓ４）し、管理人に異常を促すことができる。また、異常入退出信号を管理室端末４に送信した後、メモリ３３に内錠施錠の動作履歴を記録（Ｓ５）する。カウンタの数値（Ｓ２）が一定の閾値以下であった場合には、メモリ３３に内錠施錠の動作履歴を記録（Ｓ５）する。
【００１２】
次に第二の実施例の説明を行う。第一の実施例と同様、居室玄関端末１、集合玄関端末６、管理室端末４からの呼び出し、及び呼び出しに対する居室端末３からの応答動作の説明は省略し、居室玄関からの外出回数が異常値であった場合に管理室端末４へ報知する動作を図３（ｂ）のフローチャート図を基に説明する。
【００１３】
第一の実施例と同様、メモリ３３には、居室端末３が動作した時の動作履歴を時系列毎に記憶されている。このシステムにおいて、居室の玄関に設置された錠２の内錠が施錠操作されたとき、居室端末ＩＦ３４を経由して居室端末ＣＰＵ３０に内錠施錠信号が送信される。すると、メモリ３３に記録されている直前の動作履歴（Ｓ１）が、錠２の内錠解錠操作であった場合には、２つ前の動作履歴が集合玄関端末６からの呼び出し操作であるかを確認（Ｓ２）し、集合玄関端末６からの呼び出し操作でなかった場合には、カウンタを１加算（Ｓ３）し、集合玄関端末６からの呼び出し操作であった場合にはメモリ３３に内錠施錠の動作履歴を記録（Ｓ６）する。カウンタで１加算（Ｓ３）したとき、カウンタの数値（Ｓ４）が一定の閾値を超えた場合には、管理室端末４に異常外出信号を送信し（Ｓ５）、管理人に異常を促すことができる。また、異常外出信号を管理室端末４に送信した後、メモリ３３に内錠施錠の動作履歴を記録（Ｓ６）する。カウンタの数値（Ｓ３）が一定の閾値以下であった場合には、メモリ３３に内錠施錠の動作履歴を記録（Ｓ５）する。
【００１４】
次に、本発明の第三、四の実施例を図３のシステム構成図を用いて説明を行う。第三、四の実施例は、居室の玄関に設置され、内錠と外錠の開閉の識別が可能な錠１２と、居室玄関に設置され、居住者を呼び出して通話する機能を備えた居室玄関端末１１と、居室に設置され、居室玄関端末１１からの呼び出しに応答通話する機能を備えた居室端末１３と、居住外に設置された外部端末１４で構成されている。
居室親機１３は、居室玄関端末１１と通話するためにスピーカおよびマイクで構成された通話部１３１と、居室玄関端末１１と通話するために操作する操作ボタン１３２と、居室端末１３の動作を記録するメモリ１３３と、居室端末１３を制御する居室ＣＰＵ１３０と、居室端末ＩＦ１３４で構成されている。
【００１５】
このようなシステムにおいて、第三の実施例の動作説明を行う。第一の実施例と同様、居室玄関端末１１からの呼び出し、及び呼び出しに対する居室端末１３からの応答動作の説明は省略し、居室玄関からの出入り回数が一定の閾値を超えた場合に外部端末１４へ報知する動作を図３（ａ）のフローチャート図を基に説明する。
【００１６】
第一の実施例と同様、メモリ１３３には、居室端末１３が動作した時の動作履歴を時系列毎に記憶されている。この状態において、居室の玄関に設置された錠１２の内錠が施錠操作されたとき、居室端末ＩＦ１３４を経由して居室端末ＣＰＵ１３０に内錠施錠信号が送信される。すると、メモリ１３３に記録されている直前の動作履歴（Ｓ１）が、錠１２の内錠解錠動作であった場合には、カウンタを１加算（Ｓ２）し、内錠施錠動作でなかった場合にはメモリ１３３に内錠施錠の動作履歴を記録（Ｓ５）する。カウンタで１加算（Ｓ２）したとき、カウンタの数値（Ｓ３）が一定の閾値を超えた場合には、外部端末１４に異常入退出信号を送信し、管理人に異常を促すことができる。また、異常入退出信号を外部端末１４に送信した後、メモリ１３３に内錠施錠の動作履歴を記録（Ｓ５）する。カウンタの数値（Ｓ２）が一定の閾値以下であった場合には、メモリ１３３に内錠施錠の動作履歴を記録（Ｓ５）する。
【００１７】
次に第四の実施例の説明を行う。第一の実施例と同様、居室玄関端末１１、外部端末１４からの呼び出し、及び呼び出しに対する居室端末１３からの応答動作の説明は省略し、居室玄関からの外出回数が一定の閾値を超えた場合に外部端末１４へ報知する動作を図３（ｂ）のフローチャート図を基に説明する。
【００１８】
第一の実施例と同様、メモリ１３３には、居室端末１３が動作した時の動作履歴を時系列毎に記憶されている。このシステムにおいて、居室の玄関に設置された錠１２の内錠が施錠操作されたとき、居室端末ＩＦ１３４を経由して居室端末ＣＰＵ１３０に内錠施錠信号が送信される。すると、メモリ１３３に記録されている直前の動作履歴（Ｓ１）が、錠１２の内錠解錠操作であった場合には、２つ前の動作履歴が居室玄関端末１１からの呼び出し操作であるかを確認（Ｓ２）し、居室玄関端末１１からの呼び出し操作でなかった場合には、カウンタを１加算（Ｓ３）し、居室玄関端末１１からの呼び出し操作であった場合にはメモリ１３３に内錠施錠の動作履歴を記録（Ｓ６）する。カウンタで１加算（Ｓ３）したとき、カウンタの数値（Ｓ４）が一定の閾値を超えた場合には、外部端末１４に異常外出信号を送信し（Ｓ５）、管理人に異常を促すことができる。また、異常外出信号を外部端末１４に送信した後、メモリ１３３に内錠施錠の動作履歴を記録（Ｓ６）する。カウンタの数値（Ｓ３）が一定の閾値以下であった場合には、メモリ３３に内錠施錠の動作履歴を記録（Ｓ５）する。
【００１９】
本発明の第二の実施例において、メモリ３３に記録されている２つ前の動作履歴が集合玄関端末６の呼び出しの有無を判定しているが、居室玄関端末１の呼び出しの有無を判定としても良い。また、本説明の第三、四の実施例において、居室端末１３は、カウンタの数値が一定の閾値を超えた場合に、居室端末ＩＦ１３４を介して、外部端末１４に通知したが、公衆回線またはその他の通信網を介して外部端末１４に異常入退出信号または異常外出信号を送信しても良い。
【符号の説明】
【００２０】
２・・・      錠
３・・・      居室端末
４・・・      管理室端末
５・・・      制御装置
６・・・      集合玄関端末
【図１】
2011014978.tif 000003
【図２】
2011014978.tif 000004
【図３】
2011014978.tif 000005